(57)【特許請求の範囲】
【請求項１】
遊技を制御するための部品が搭載された回路基板を被包し、全体が透明な高分子材料で形成された遊技機用基板ボックスであって、
前記回路基板の上面側に配設される透明なボックス蓋体と、
そのボックス蓋体と合体して前記回路基板を被包するその回路基板の裏面側に配設された透明なボックス本体とを備え、
前記回路基板の上面には配線コードが接続されたコネクタが配設されており、
前記ボックス蓋体には、前記回路基板の上面との間に前記配線コードの外径と略等しい間隙を形成する透明なストッパ部材が一体に形成され、そのストッパ部材と前記回路基板とにより形成される前記間隙を通って前記配線コードが外部へ導出されていることを特徴とする遊技機用基板ボックス。
【請求項２】
前記ボックス蓋体は、前記回路基板の上面に対向して配設される透明な上壁面と、その上壁面と共に開口面を形成する透明な側壁面とを備え、
前記ボックス本体は、前記回路基板の裏面に対向して配設される透明な底面と、その底面と共に開口面を形成する透明な側壁面とを備え、そのボックス本体の内部に前記回路基板が設置され、
前記ボックス本体および前記ボックス蓋体は、互いの開口面が対向して合体することにより前記回路基板を被包するものであり、
前記ボックス本体および前記ボックス蓋体によって形成される一側壁面に前記配線コードを外部へ導出するための開口が形成され、
前記ボックス蓋体の上壁面の内面には、前記回路基板の上面との間に前記間隙を形成する透明な板状のストッパ部材が前記ボックス蓋体と一体に突出して形成され、そのストッパ部材と前記回路基板とにより形成される前記間隙と前記開口とを通って前記配線コードが外部へ導出されていることを特徴とする請求項１記載の遊技機用基板ボックス。
【請求項３】
前記ストッパ部材は、前記配線コードを上方から押さえ込んで前記配線コードに対して作用する引張力を抑制するものであることを特徴とする請求項１又は２に記載の遊技機用基板ボックス。
【発明の詳細な説明】
【０００１】
【発明の属する技術分野】
本発明は遊技機等の回路基板を被包する遊技機用基板ボックスに関するものである。
【０００２】
【従来の技術】
近年、パチンコ機およびスロットマシーン等の遊技機は、遊技盤に設けられる入賞装置および表示装置等を制御して遊技の興趣を盛り上げるものが主流となっている。この入賞装置および表示装置の制御は、ＩＣ，ＬＳＩ等の多数の電子部品を搭載したロジック制御回路基板、又は、マイクロコンピュータを有する制御回路基板等により行われる。これらの制御回路基板は、遊技盤の裏面に配設される入賞球集合カバーまたは機構板に取り付けられる遊技機用基板ボックス内に収納されて遊技機に付設されている。
【０００３】
この遊技機用基板ボックスは、制御回路基板に配設される電子部品等が電磁気的ノイズにより誤動作するのを防止するため、電磁気的ノイズに対してシールド効果のある金属材料で形成されている。この金属材料製の遊技機用基板ボックスは、静電気、磁気および電磁波等に対するシールド効果を有しており、その結果、電子部品等の誤動作を抑制して、遊技機を正常に動作させることができる。
一方、かかる制御回路基板を使用した遊技機では、近年、制御回路基板に違法な改造、例えば、制御回路基板から遊技内容に関する制御情報が記憶された制御用ＲＯＭを取り外し交換して、遊技機の遊技内容を変更する不正行為が問題となっている。かかる不正行為を防止するために、遊技機用基板ボックスは、制御回路基板を収納した後、封印紙等を用いて封印されている。
【０００４】
【発明が解決しようとする課題】
しかしながら、遊技機用基板ボックスは不透明な金属材料で形成されているので、制御回路基板に違法な改造が施された場合、遊技機用基板ボックスを開封しなければその改造を発見することができない。また、開封した遊技機用基板ボックスを再度封印する場合、封印紙の張り替えに伴う申請等が必要となり、一連の手続が煩雑となるという問題点があった。
【０００５】
本発明は上述した問題点を解決するためになされたものであり、不正行為が行われた場合にその不正行為を容易に発見することができる遊技機用基板ボックスを提供することを目的としている。
【０００６】
【課題を解決するための手段】
この目的を達成するために請求項１記載の遊技機用基板ボックスは、遊技を制御するための部品が搭載された回路基板を被包し、全体が透明な高分子材料で形成されたものであり、前記回路基板の上面側に配設される透明なボックス蓋体と、そのボックス蓋体と合体して前記回路基板を被包するその回路基板の裏面側に配設された透明なボックス本体とを備え、前記回路基板の上面には配線コードが接続されたコネクタが配設されており、前記ボックス蓋体には、前記回路基板の上面との間に前記配線コードの外径と略等しい間隙を形成する透明なストッパ部材が一体に形成され、そのストッパ部材と前記回路基板とにより形成される前記間隙を通って前記配線コードが外部へ導出されている。
請求項２記載の遊技機用基板ボックスは、請求項１記載の遊技機用基板ボックスにおいて、前記ボックス蓋体は、前記回路基板の上面に対向して配設される透明な上壁面と、その上壁面と共に開口面を形成する透明な側壁面とを備え、前記ボックス本体は、前記回路基板の裏面に対向して配設される透明な底面と、その底面と共に開口面を形成する透明な側壁面とを備え、そのボックス本体の内部に前記回路基板が設置され、前記ボックス本体および前記ボックス蓋体は、互いの開口面が対向して合体することにより前記回路基板を被包するものであり、前記ボックス本体および前記ボックス蓋体によって形成される一側壁面に前記配線コードを外部へ導出するための開口が形成され、前記ボックス蓋体の上壁面の内面には、前記回路基板の上面との間に前記間隙を形成する透明な板状のストッパ部材が前記ボックス蓋体と一体に突出して形成され、そのストッパ部材と前記回路基板とにより形成される前記間隙と前記開口とを通って前記配線コードが外部へ導出されている。
請求項３記載の遊技機用基板ボックスは、請求項１又は２に記載の遊技機用基板ボックスにおいて、前記ストッパ部材は、前記配線コードを上方から押さえ込んで前記配線コードに対して作用する引張力を抑制するものである。
【０００７】
【発明の実施の形態】
以下、本発明の好ましい実施例について、添付図面を参照して説明する。図１は、本発明の遊技機用基板ボックスの一実施例である基板ボックス１の分解斜視図であり、図２は、基板ボックス１内に載置される制御回路基板１０の斜視図である。図３は、制御回路基板１０の下面図であり、図４は、封印された基板ボックス１の斜視図であり、図５は、封印された基板ボックス１の横断面図である。尚、図１および図２に示す制御回路基板１０には制御用ＲＯＭ１２，１３のみを図示し、その他の各種電子部品は省略して図示している。
【０００８】
図１に示すように、基板ボックス１は、パチンコ機またはスロットマシーン等の遊技機の遊技内容に関する制御プログラムやデータを記憶した制御用ＲＯＭ１２，１３等の電子部品が搭載された制御回路基板１０を被包して封印するためのものであり、ボックス本体２と、そのボックス本体２に覆設されるボックス蓋体３とを備えている。
【０００９】
このボックス本体２およびボックス蓋体３は、いずれも略矩形皿状に形成されており、制御回路基板１０をボックス本体２内に収納した状態で、互いの開口面を対向させ合体（合致）させることにより、制御回路基板１０が基板ボックス１内に被包される。基板ボックス１は、制御回路基板１０の被包後、後述する封印紙５により封印される（図４参照）。また、ボックス本体２及びボックス蓋体３の一側壁面には、それぞれ略矩形状の切り欠き２ａ，３ａが形成されており、ボックス本体２及びボックス蓋体３を合体させると、基板ボックス１の一側壁面に略矩形状の開口４が形成される（図４参照）。この開口４を介して、封印された基板ボックス１の外部へ後述する複数のコード１１が導出される。
【００１０】
ボックス蓋体３の上壁面には、放熱用の複数の通気孔３ｂが穿設されており、制御回路基板１０に搭載された電源装置（図示せず）等の発熱により加熱された基板ボックス１内の空気は、この複数の通気孔３ｂから基板ボックス１の外部へ放出される。よって、基板ボックス１内の温度上昇を抑制することができるとともに、温度上昇による制御用ＲＯＭ１２，１３の誤動作を防止することができる。尚、通気孔３ｂはボックス蓋体３に穿設する必要は必ずしもなく、ボックス本体２の壁面に穿設しても良い。即ち、電源装置等の発熱を伴う部品の配置に応じて、基板ボックス１内の放熱を効率良くが行うことができる位置に通気孔３ｂの穿設すれば良い。
【００１１】
このボックス本体２およびボックス蓋体３のうち開口４の形成された壁面には、封印紙５が付される（図１および図４参照）。封印紙５は、基板ボックス１内の制御回路基板１０を改造して遊技内容を変更する不正行為を防止するためのものであり、ボックス本体２とボックス蓋体３とに跨って付されている。この封印紙５は、一旦剥がされると、その痕跡が残り、再度張り付けることができない性質を有しており、別の封印紙５に張り替える場合には申請等の手続が必要となる（図４参照）。
【００１２】
ボックス本体２およびボックス蓋体３は、いずれもその全体が光透過性を有する導電性高分子材料で構成されており、基板ボックス１内部に収納され封印された制御回路基板１０は、基板ボックス１の外部から透視可能にされている。よって、例えば、制御回路基板１０にジャンパー線を違法に配線し、又は、制御回路基板１０の回路パターン（図示せず）を違法に切断する等の不正行為を、基板ボックス１を開封することなく容易に発見することができる。従って、制御回路基板１０の状態の確認毎に行われていた封印紙５の張り替えに伴う申請等の手続が不要となる。
【００１３】
また、ボックス本体２およびボックス蓋体３はいずれも導電性を有しているので、静電気、磁気および電磁波等の電磁気的ノイズに対してシールド効果を備えている。基板ボックス１に帯電した電荷は、基板ボックス１にアース線等を接続して接地することにより放電させることができる。従って、基板ボックス１は、電磁気的ノイズによる帯電が防止され、制御回路基板１０に搭載された制御用ＲＯＭ１２，１３等の電子部品の誤動作を防止することができる。更に、ボックス本体２およびボックス蓋体３は高分子材料で構成されているので、基板ボックス１を軽量化することができるとともに、耐衝撃性および機械的強度に優れたものとすることができる。
【００１４】
ボックス本体２およびボックス蓋体３を構成する導電性高分子材料には、例えば、導電性（帯電防止性）を有する透明なアクリロニトリル・ブザジエン・スチレン共重合体（以下、「帯電防止性透明ＡＢＳ樹脂」という。）が使用されている。この帯電防止性透明ＡＢＳ樹脂の表面固有抵抗値の一例は、略１×１０１２〜５×１０１３Ω・ｃｍ（代表値）であり、光線透過率は、略８６％（代表値）である。
【００１５】
尚、ボックス本体２およびボックス蓋体３の材質は、必ずしも帯電防止性透明ＡＢＳ樹脂である必要はなく、光透過性および帯電防止性を有する高分子材料であれば良い。例えば、透明性、耐衝撃性および機械的強度に優れたポリカーボネート樹脂であって、導電性を有するものであっても良い。また、電気絶縁性を有する有機高分子材料、例えば、変性ポリフェニレンオキシド（変性ＰＰＯ）、ポリスルホン、ポリアミド等のエンジニアリングプラスチック、及び、ポリエチレン、ポリプロピレン、ポリメタクリル酸メチル等の汎用樹脂であっても、透明性（光透過性）を維持しつつ導電性を示す処理が施されていれば使用することが可能である。また、分子構造により導電性を有する高分子材料、例えば、ポリアセチレン、ポリｐ−フェニレン、ポリピロール、ポリフェニレンスルフィド等のπ電子による共有二重結合を持つものにＡｓＦ５、ヨウ素等の電子受容性分子またはアルカリ金属等の電子供与性物質を添加して、共役系を部分的に酸化または還元して自由電子を生成させた（ドーピング）もの、又は、ポリチアジル（ＳＮ）ｎのようにそののままで金属性を示す無機物であって、且つ、透明性（光透過性）を有するものであれば使用することが可能である。
【００１６】
図１に示すように、ボックス本体２の内部には制御回路基板１０が固定された状態で設置されている。図１および図２に示すように、制御回路基板１０は公知の回路用基板であり、その上面（部品面）側には遊技機の遊技内容に関する制御情報（プログラムやデータ）を記憶した制御用ＲＯＭ１２，１３が搭載されており、その裏面（半田面）側には回路パターンがエッチング処理により形成されている。制御用ＲＯＭ１２，１３の上面には、文字・番号１２ａ，１３ａがそれぞれ表示されており、かかる文字・番号１２ａ，１３ａはそれぞれ制御用ＲＯＭ１２，１３について固有のものである。よって、制御回路基板１０の制御用ＲＯＭ１２，１３等を異なった制御用ＲＯＭに交換して、遊技内容を変更する不正行為が行われた場合、文字・番号１２ａ，１３ａを確認することにより、不正行為が行われたか否かの判断を容易にすることができる。この場合、基板ボックス１におけるボックス本体２およびボックス蓋体３はともに光透過性を有しているので、基板ボックス１を開封することなく、文字・番号１２ａ，１３ａを確認することができる。
【００１７】
また、この制御回路基板１０上の一端部分には複数のコネクタ１１ａが配設されている。この複数のコネクタ１１ａは制御回路基板１０の長手方向に並設されており、各コネクタ１１ａには複数の電極端子（図示せず）が突設されている。この各コネクタ１１ａには、その電極端子に対応して電極端子が凹設された配線コネクタ１１ｂが嵌合によりそれぞれ配設されており、各配線コネクタ１１ｂにはコード１１がそれぞれ接続されている。このコード１１は、略同一形状の複数の配線コード１１ｃで構成されており、各配線コード１１ｃが並列状に接合されて帯状体に形成されている。尚、各配線コード１１ｃは、配線コネクタ１１ｂの各電極端子にそれぞれ接続されている。
【００１８】
図３に示すように、ボックス本体２の底面に対向した制御回路基板１０の裏面（半田面）側には、エッチング処理により回路パターン（図示せず）、制御回路基板１０の基板番号、基板製造元および遊技機メーカ名等の識別表示１０ａが記されている。よって、制御回路基板１０を基板ボックス１内に収納し封印した場合、基板ボックス１を開封することなく、ボックス本体２の底面側から識別表示１０ａを確認することができる。これにより、制御回路基板１０を違法な制御回路基板に交換する不正行為を容易に発見することができる。
【００１９】
尚、識別表示１０ａは、回路パターンのエッチング処理と同時に形成されているので、識別表示１０ａを形成するための別工程が不要となり、制御回路基板１０の製造工程を簡素化することができる。この識別表示１０ａと回路パターンとは絶縁状態または導通状態のいずれであっても良い。
【００２０】
図１に示すように、ボックス蓋体３の上部内壁面の右側部分には、ストッパ部材２０が一体に形成されている。ストッパ部材２０は板状体であって、ボックス蓋体３の上部内壁面に対して略垂直に形成されている。また、図５に示すように、ボックス本体２とボックス蓋体３を合体させた場合、ストッパ部材２０はコネクタ１１ａ，１１ｂの外側（図５では右側）に位置するように形成されている。このストッパ部材２０の下端部と制御回路基板１０の上面との間には、コード１１の配線コード１１ｃの外径と略等しい間隙が形成されている。よって、基板ボックス１の外部からの制御回路基板１０への接触行為を防止することができるとともに、この間隙にコード１１を通して開口４からコード１１を引き出すことにより、コード１１を基板ボックス１の外部に導出することができる。
【００２１】
また、コード１１はストッパ部材２０の下端部により上方から押さえ込まれているので、コード１１に何らかの引張力が作用した場合、ストッパ部材２０がコード１１に対する引張力を抑制する。一方、配線コネクタ１１ｂはコネクタ１１ａへ垂直方向に押し込まれて接続されているので、コード１１を配線コネクタ１１ｂの接続方向に引っ張ることはできない。よって、配線コネクタ１１ｂの抜けが防止され、配線コネクタ１１ｂを故意に抜いて行われる不正行為を防止することができる。
【００２２】
次に、基板ボックス１の使用方法について説明する。まず、図１に示すように、ボックス本体２の底面に制御回路基板１０の裏面（回路パターンが形成された面）を対向させて載置し、制御回路基板１０をボックス本体２に固定する。そして、制御回路基板１０に接続された各コード１１を切り欠き２ａからボックス本体２の外部へと引き出しつつ、ボックス本体２の上方からボックス蓋体３を合致させて覆設する。ボックス本体２の上方からボックス蓋体３を覆設すると、ストッパ部材２０の下端部は各コード１１を上方から押さえ込み、各コード１１は切り欠き２ａ，３ａにより形成された矩形状の開口４を通して基板ボックス１の外部へと導出される（図４および図５参照）。その後、ボックス本体２とボックス蓋体３との間に封印紙５を付して基板ボックス１を封印する。
【００２３】
以上、実施例に基づき本発明を説明したが、本発明は上記実施例に何ら限定されるものではなく、本発明の趣旨を逸脱しない範囲内で種々の改良変形が可能であることは容易に推察できるものである。
【００２４】
例えば、本実施例では、基板ボックス１は、遊技機の制御回路基板１０を収納するために使用されているが、必ずしも遊技機の制御回路基板を収納するための使用に限定されるものではなく、その他の電気回路基板に対して使用しても良い。
【００２５】
また、本実施例では、基板ボックス１を封印するために封印紙５をボックス本体２とボックス蓋体３とに跨って付したが、基板ボックス１の封印手段は必ずしもこれに限られるものではない。例えば、封印ねじを使用してボックス本体２とボックス蓋体３とを封印しても良い。
【００２６】
ここで、従来の遊技機用基板ボックスは不透明な金属材料で形成されているので、制御回路基板に違法な改造が施された場合、遊技機用基板ボックスを開封しなければその改造を発見することができない。また、開封した遊技機用基板ボックスを再度封印する場合、封印紙の張り替えに伴う申請等が必要となり、一連の手続が煩雑となるという問題点があった。
【００２７】
また、かかる問題点を解決するために、遊技機用基板ボックスを透明樹脂で形成した場合、かかる透明樹脂は表面固有抵抗値が大きく、遊技機用基板ボックスが帯電してしまうので、制御回路基板に配設される電子部品等が電磁気的ノイズにより誤動作し、遊技機を正常に動作させることができないという問題点があった。
【００２８】
更に、かかる問題点を解決するために、透明樹脂等で構成された遊技機用基板ボックスの表面に導電性を有する金属材料を塗布して帯電防止処理を施した場合、遊技機用基板ボックスの光線透過率が低下し、その内部を透視することができないという問題点があった。
【００２９】
そこで、次の各発明は上述した問題点を解決するためになされたものであり、電磁気的ノイズに対してシールド効果を有し、不正行為が行われた場合には、その不正行為を容易に発見することができる遊技機用基板ボックスを提供することを目的としている。
【００３０】
遊技を制御するための部品が搭載された回路基板を被包する遊技機用基板ボックスであって、帯電防止性を有する分子構造を備えた透明な高分子材料で形成されていることを特徴とする遊技機用基板ボックス。この遊技機用基板ボックスによれば、透明な高分子材料で形成されているので、遊技機用基板ボックスを開封することなく、その外部から遊技機用基板ボックス内部の回路基板等を透視することができる。また、かかる遊技機用基板ボックスは帯電防止性を有する分子構造を備えた高分子材料で形成されているので、静電気、磁気および電磁波等による外部からの電磁気的ノイズを遮断することができる。即ち、この遊技機用基板ボックスによれば、帯電防止性を有する分子構造を備えた透明な高分子材料で形成されているので、その外部から回路基板の状態を確認することができる。よって、遊技機用基板ボックスを開封することなく、遊技機の遊技内容を変更する不正行為を発見することができる。例えば、回路基板に配線されたジャンパー線および回路パターンの切断等を容易に発見することができる。また、遊技機用基板ボックスは帯電防止性を有しているので、遊技機用基板ボックスの帯電を防止することができるとともに、外部からの電磁気的ノイズを遮断することができる。よって、回路基板に搭載された遊技を制御するための部品の誤動作を防止して、これらを正常に動作させることができる。
【００３１】
遊技を制御するための部品が搭載された回路基板を被包しつつ封印するための遊技機用基板ボックスであって、帯電防止性を有する透明材料で形成されていることを特徴とする遊技機用基板ボックス。かかる遊技機用基板ボックスによれば、回路基板は被包されつつ封印されている。よって、遊技機用基板ボックス内の回路基板に改良を加え遊技機の遊技内容を変更する不正行為を防止することができる。また、仮に、遊技機の遊技内容を変更する不正行為が行われた場合、遊技機用基板ボックスは透明材料で形成されているので、遊技機用基板ボックスを開封することなく発見することができる。例えば、回路基板に配線されたジャンパー線および回路パターンの切断等を容易に発見することができる。また、遊技機用基板ボックスは帯電防止性を有しているので、遊技機用基板ボックスの帯電が防止されるとともに、外部からの電磁気的ノイズが遮断される。よって、回路基板に搭載された遊技を制御するための部品の誤動作を防止することができる。
【００３２】
遊技を制御するための部品が搭載された回路基板を被包する光透過性を有する導電性高分子材料で形成された遊技機用基板ボックス。かかる遊技機用基板ボックスは光透過性を有する導電性高分子材料で形成されているので、例えば、遊技機用基板ボックス内に被包された回路基板にジャンパー線を配線して遊技機の遊技内容を変更する不正行為および回路パターンを切断等して遊技内容を変更する不正行為を遊技機用基板ボックスを開封することなく発見することができる。また、遊技機用基板ボックスは導電性高分子材料で形成されているので、遊技機用基板ボックスの帯電を防止することができるとともに、外部からの電磁気的ノイズを遮断することができる。よって、回路基板に搭載された遊技を制御するための部品の誤動作を防止することができる。更に、導電性高分子材料で形成された遊技機用基板ボックスは、金属材料で形成された遊技機用基板ボックスと比較して軽量化することができる。
【００３３】
また、前記遊技を制御するための部品には制御用ＲＯＭを備え、その制御用ＲＯＭおよび前記回路基板の少なくとも一方には、前記制御用ＲＯＭの番号が表示されている。よって、制御用ＲＯＭを違法に交換して遊技機の遊技内容を変更した場合、遊技機用基板ボックスの外部からその内部に被包された制御用ＲＯＭの番号を確認して検査することにより、かかる不正行為を容易に発見することができる。
【００３４】
また、前記回路基板には基板番号が表示されている。よって、回路基板を交換して遊技機の遊技内容を変更する不正行為が行われた場合、回路基板の基板番号を確認することにより、かかる不正行為を容易に発見することができる。
【００３５】
また、前記基板番号および前記回路基板の回路パターンはともにエッチング処理により形成されている。よって、基板番号を回路基板に表示するための工程と、回路パターンを形成するための工程とを同時に行うことができるので、回路基板の製造工程を簡素化することができる。
【００３６】
更に、遊技機用基板ボックスには、複数の通気孔が穿設されている。よって、回路基板に搭載された部品の発熱により加熱された遊技機用基板ボックス内の大気を遊技機用基板ボックスの外部へ放出することができる。よって、遊技機用基板ボックス内の気温上昇が抑制され、遊技機用基板ボックス内の温度上昇による制御用ＲＯＭ等の遊技を制御するための部品の誤動作を防止することができる。
【００３７】
【発明の効果】
請求項１記載の遊技機用基板ボックスによれば、ストッパ部材と回路基板の上面との間には、配線コードの外径と略等しい間隙が形成され、そのストッパ部材と回路基板とにより形成される間隙を通って配線コードが外部へ導出されている。このため、回路基板とストッパ部材との間に配線コードが押さえ込まれた状態で配線されるので、配線コードに何らかの引張力が作用しても、その引張力が抑制される。よって、コネクタの抜けが防止され、コネクタを故意に抜いて行われる遊技機用基板ボックスに対する不正行為を防止することができるという効果がある。
また、遊技機用基板ボックスは全体が透明な高分子材料で形成されているので、遊技機用基板ボックスを開封することなく、遊技機の遊技内容を変更する不正行為を容易に発見することができるという効果がある。例えば、回路基板に配線されたジャンパー線および回路パターンの切断等を容易に発見することができる。
請求項２記載の遊技機用基板ボックスによれば、請求項１に記載の遊技機用基板ボックスの奏する効果に加え、回路基板はボックス本体の内部に設置される一方、配線コードを外部へ導出するための開口はボックス本体およびボックス蓋体によって形成される。このため、配線コードは、ストッパ部材と回路基板とにより形成される間隙にてボックス本体側へ一旦押さえ付けられた後、開口を形成するボックス蓋体側を通って外部に導出されるので、配線コードは折れ曲がって配置される。よって、配線コードに引張力が作用した場合における配線コードに対する引張力は抑制され、コネクタを故意に抜いて行われる不正行為を防止することができるという効果がある。
請求項３記載の遊技機用基板ボックスによれば、ストッパ部材が配線コードに対して作用する引張力を抑制するので、コネクタの抜けが防止され、コネクタを故意に抜いて行われる不正行為を防止することができるという効果がある。
【図面の簡単な説明】
【図１】本発明の遊技機用基板ボックスの一実施例である基板ボックスの分解斜視図である。
【図２】基板ボックス内に設置される制御回路基板の斜視図である。
【図３】制御回路基板の下面図である。
【図４】封印された基板ボックスの斜視図である。
【図５】封印された基板ボックスの横断面図である。
【符号の説明】
１                              基板ボックス（遊技機用基板ボックス）
２                              ボックス本体
２ａ，３ａ                      切り欠き
３                              ボックス蓋体
３ｂ                            通気孔
４                              開口
５                              封印紙
１０                            制御回路基板（回路基板）
１１                            コード
１１ａ                          コネクタ
１１ｂ                          配線コネクタ
１１ｃ                          配線コード
１２，１３                      制御部品（遊技を制御するための部品）
１２ａ，１３ａ                  文字・番号表示
２０                            ストッパ部材
【図１】
0003562214.tif 000002
【図２】
0003562214.tif 000003
【図３】
0003562214.tif 000004
【図４】
0003562214.tif 000005
【図５】
0003562214.tif 000006